(57)【特許請求の範囲】
【請求項１】
所定の間隔をおいて互いに平行を成して垂直に起立するパネルにて構成する間仕切りであって、壁面に取り付けされてパネル側端をカバーする壁レール及び天井に取り付けされてパネル上端をカバーする天井レールとして兼用可能なレール部材において、該壁レール又天井レールは基板の両側端部に背板を垂直に延ばし、背板の根元部であって基板と僅かの間隔をおいてツメを形成し、そして概略Ｌ型断面をしたレール片又笠木を基板側端に着脱可能に取り付けることが出来る構造とし、レール片又笠木の側片にはアームを垂直に延ばして該アーム先端にはツメを形成し、アーム先端のツメを上記背板に設けたツメと基板との間に嵌入して係止し、該背板と側片とでパネル側端又パネル上端を挟持することを特徴とする分割型壁レール及び天井レール。
【発明の詳細な説明】
【０００１】
【産業上の利用分野】
本発明は分割型構造をしたレールであって、壁面に取り付けしてパネル側端との隙間を防止する壁レールとして使用出来、一方では天井に取り付けして天井レールとして機能することが出来るレールに関するものである。
【０００２】
【従来の技術】
間仕切りパネルを据え付けする場合、壁との境界には壁レールが垂直に取り付けされて、パネル側端と壁面との間に残る隙間がカバーされる。又天井には天井レールが取付けられてパネル上端と天井面との隙間をなくしている。図５（ａ）、（ｂ）は間仕切りと天井及び壁面との連結構造を示しているが、天井板(イ) には天井レール(ロ) が取付けられ、並設したパネル(ハ) 、(ハ) の上端は上記天井レール(ロ) に嵌り、両パネル(ハ) 、(ハ) 間にはパネルガイド（ニ)が嵌っている。
【０００３】
同じく、壁面(ヘ) には壁レール(ホ) が垂直に取り付けされ、パネル側端はこの壁レール(ホ) に嵌り、両パネル(ハ) 、(ハ) 間にはパネルガイド（ニ)が介在している。ところで、上記天井レール(ロ) 及び壁レール(ヘ) は同じ断面形状である為に、互いに兼用することが出来る訳であるが、このような形状の天井レール(ロ) や壁レール(ホ) を用いる場合には、パネル(ハ) の木口側からレールに嵌入しなくてはならない。そして、天井レール(ロ) や壁レール(ホ) だけではパネル(ハ) の上端及び側端を止着することが出来ず、上記パネルガイド（ニ)を必要としている。
【０００４】
又、パネル側端には上記パネルガイド（ニ)の代わりにスタッドを設けて、該スタッドにてパネル背面を支えることが出来る構造とする場合もある。何れにしてもパネル(ハ) の据え付け作業は面倒であり、一方、同じ天井レール(ロ) 及び壁レール(ホ) がコンクリート壁に面してパネル(ハ) を配置する場合に兼用することは出来ない。
【０００５】
【本発明が解決しようとする課題】
このように、従来の天井レールや壁レールには上記のごとき問題がある。本発明が解決しようとする課題はこれら問題点であって、分割型レールとして天井レールとしても壁レールとしても使用出来、更にパネルガイドやスタッドを必要としない分割型壁レール及び天井レールを提供する。
【０００６】
【課題を解決するための手段】
本発明の分割型壁レール及び天井レールは該レールだけで並設した両パネルを挟み込んで支えることが出来る形態を成している。そして分割型構造である為に、パネルは正面から据え付けすることが出来、所定の位置に据え付けした後で笠木及びレール片を取り付けすることが出来る構造としている。笠木やレール片の取付けはツメを介して係止する止着構造としている。
【０００７】
すなわち、基板の両端部には背板を垂直に延ばし、該背板の根元部であって基板と僅かな距離を隔ててツメを形成している。笠木やレール片は概略Ｌ型断面を成し、側片から垂直にアームを延ばし、アーム先端にはツメを形成し、該ツメは上記背板に設けているツメと係止することが出来る。パネルを据え付けする場合には笠木やレール片を取り外しておき、据え付け後に笠木及びレール片を取り付けするが、該パネルは背板と側片にて挟持される。以下、本発明に係る実施例を図面に基づいて詳細に説明する。
【０００８】
【実施例】
図１は本発明の分割型天井レールを表している実施例である。同じ形状にて壁レールを構成することが出来るが、ここでは天井レールとして説明する。同図の１は基板、２は背板を示し、該基板１の両側端部に背板２、２が垂直下方へ延び、先端は外側を大きくした厚肉と成っている。そして背板２の根元部であって、基板１と僅かな距離を隔ててツメ３が外方向へ突出している。
【０００９】
笠木４、４は概略Ｌ型を成して基板１の両側端に取付けられるが、側片５に対してアーム６を垂直に延ばし、該アーム先端にはツメ７を形成している。アーム６は背板２まで延びて基板１とツメ３の間に嵌入して該ツメ３とアーム先端のツメ７は互いに係止する。基板１の両側端に取り付けされた笠木４、４はその側片５、５を背板２、２に対してほぼ平行とし、据え付けされるパネル上端は背板２と笠木側片５の間に嵌入する。
【００１０】
図２は天井レールにパネル８、８の上端が嵌入した場合である。勿論、該パネルを据え付けする場合には上記笠木４は取り外され、従って、パネル８は正面から配置することが出来、据え付け完了後に笠木４を取り付けする。笠木４は基板１とツメ３の間にアーム６を挿入して先端のツメ７を上記ツメ３に係止するならば、笠木４は外れることなく取り付けされる。すなわち、側片先端がパネル面に当接して笠木にはモーメントが作用し、両ツメ３、７は外れることなく噛み合う。
【００１１】
前記図２はパネル上端が嵌る天井レールであるが、同じレールは壁レールとして使用することが出来る。すなわち基板１は図３に示すように壁面９に取り付けされるが、この場合も天井レールの場合と同じく、レール片１０、１０は取り外されている。従って、パネル８は正面から配置することが出来、その後でレール片１０を基板１に取り付けする。
【００１２】
このようにパネル８、８の上端及び側端は背板２と側片５にて挟持され、従来のようなパネルガイドやスタッドを必要とはしない。そしてこれら実施例は間仕切りの場合であって、コンクリート壁に面してパネルを据え付けする場合にも同じ天井レールを使用することが出来る。
【００１３】
図４はコンクリート壁１１にパネル８を据え付けした場合であり、コンクリート壁１１にはＬ型金具１２を取着し、Ｌ型金具１２の水平片１３に本発明の天井レールを取り付けしている。天井レールの両背板２、２間にスタッド１４の上端が嵌り、そして背板２と笠木４の側片５との間にはパネル８の上端が嵌入している。この場合、基板１の片側にのみ笠木４が取り付けされていて、反対側には該笠木４は存在してない。
【００１４】
以上述べたように、本発明の分割型壁レール及び天井レールは基板の両側端部に背板を垂直に延ばし、背板の根元部にはツメを設け、概略Ｌ型断面をした笠木又はレール片のアーム先端に形成したツメを上記ツメに係止して取り付けしたものであり、次のような効果を得ることが出来る。
【００１５】
【発明の効果】
本発明の天井レール及び壁レールは分割型構造を成し、基板の両側端部に笠木又はレール片を着脱可能に取り付けすることが出来る。そして天井レールと壁レールは同じ断面形状を成している為に、何れのレールにも使用することが出来、パネルを据え付けする場合には笠木やレール片を取り外して正面から配置することが出来る。
【００１６】
据え付けされるパネルは背板と笠木側片又はレール片の側片に挟まれて挟持される為に、従来のようなパネルガイドを必要とせず、又スタッドを設ける必要もない。更に、このレールはコンクリート壁に面してパネルを据え付けする場合にも、片側の笠木及びレール片を用いないことで兼用することが出来る。
【図面の簡単な説明】
【図１】本発明の天井レールの実施例。
【図２】天井レールにパネル上端を嵌入した場合。
【図３】壁レールにパネル側端を嵌入した場合。
【図４】コンクリート壁に面してパネルを据え付けした場合。
【図５】従来の天井レール及び壁レール。
【符号の説明】
１  基板
２  背板
３  ツメ
４  笠木
５  側片
６  アーム
７  ツメ
８  パネル
９  壁面
10  レール片
11  コンクリート壁
12  Ｌ型金具
13  水平片
14  スタッド
【図１】
0003731168.tif 000002
【図２】
0003731168.tif 000003
【図３】
0003731168.tif 000004
【図４】
0003731168.tif 000005
【図５】
0003731168.tif 000006